(57)【特許請求の範囲】
【請求項１】
同軸フラットリボンケーブルの端部の外部被覆が除去されて露出した複数の裸ドレイン線と信号線とが前記ケーブルの幅方向に交互に配列され、前記信号線がシグナルコンタクトの圧接端子に圧接され、前記裸ドレイン線がグランドコンタクトの圧接端子で圧接される同軸フラットリボンケーブル用コネクタにおいて、
ベースインシュレータと前記ベースインシュレータに嵌合されるカバーインシュレータとを備え、
前記ベースインシュレータに、前記シグナルコンタクトと前記グランドコンタクトとをそれぞれ前記ケーブルの長さ方向へ延ばして設け、
前記シグナルコンタクトの圧接端子と前記グランドコンタクト圧接端子とを前記ケーブルの長さ方向に所定間隔離して配置し、
前記グランドコンタクトの圧接端子を前記ケーブルに対して所定角度傾斜させ、
前記カバーインシュレータに前記信号線をクランク状に曲げて保持する第１の溝部を設けるとともに、前記信号線より所定長さだけ短くした前記裸ドレイン線を真直ぐに保持する第２の溝部を設けたことを特徴とする同軸フラットリボンケーブル用コネクタ。
【請求項２】
前記カバーインシュレータを前記ベースインシュレータに嵌合させたとき、前記信号線が前記シグナルコンタクトの圧接端子と交差して位置決めされることを特徴とする請求項１に記載の同軸フラットリボンケーブル用コネクタ。
【発明の詳細な説明】
【０００１】
【発明の属する技術分野】
この発明は同軸フラットリボンケーブル用コネクタに関する。
【０００２】
【従来の技術】
従来の同軸フラットリボンケーブル用コネクタは、相手側コネクタのピンを挟持可能な接触部と、フラットリボンケーブルの信号線と接続される複数のシグナルコンタクトと、フラットリボンケーブルのドレイン線と接続される複数のグランドコンタクトとを備える。
【０００３】
なお、同軸フラットリボンケーブルを構成する各同軸線は中心導体の周りを誘電体（絶縁物）で囲み、その外周にドレイン線を沿わせ、シールド（銅箔、アルペット等）で被覆し、更にシースで被覆して構成されている。
【０００４】
図１６は従来の同軸フラットリボンケーブル用コネクタに同軸フラットリボンケーブルが取り付けられた状態を説明するための断面図である。
【０００５】
シグナルコンタクト１１７の圧接端子１１８とグランドコンタクト１２７の圧接端子１２８とは、信号線１５１（同軸フラットリボンケーブル１５０）の長さ方向に所定の間隔離して配置されている。
【０００６】
シグナルコンタクト１１７の圧接端子１１８とグランドコンタクト１２７の圧接端子１２８とはそれぞれ同軸フラットリボンケーブル１５０に対して所定角度だけ傾斜している。
【０００７】
信号線１５１とドレイン線１５２とはそれぞれシグナルコンタクト１１７の圧接端子１１８とグランドコンタクト１２７の圧接端子１２８とによって位置決めされ、それぞれ接触部１６０へ向かって真直ぐに延びている。
【０００８】
図１７は従来の他の同軸フラットリボンケーブル用コネクタに同軸フラットリボンケーブルが取り付けられた状態を説明するための断面図である。
【０００９】
シグナルコンタクト２１７の圧接端子２１８とグランドコンタクト２２７の圧接端子２２８とは同軸フラットリボンケーブル２５０と直交する１本の仮想直線上に交互に配置されている。
【００１０】
シグナルコンタクト２１７の圧接端子２１８とグランドコンタクト２２７の圧接端子２２８とはそれぞれ同軸フラットリボンケーブル２５０に対して所定角度傾いている。
【００１１】
信号線２５１とドレイン線２５２とはそれぞれシグナルコンタクト２１７の圧接端子２１８とグランドコンタクト２２７の圧接端子２２８とによって位置決めされ、それぞれ接触部２６０へ向かって真直ぐに延びている。
【００１２】
【発明が解決しようとする課題】
上記構成の同軸フラットリボンケーブル用コネクタ１５０，２５０には以下の問題がある。
【００１３】
ケーブル１５０，２５０の外部被覆（シースとシールド）を所定長さだけ除去し、露出状態のドレイン線１５２，２５２（裸ドレイン線）を結線しようとすると、裸ドレイン線１５２，２５２が近接するシグナルコンタクト１２７，２２７の圧接端子１２８，２２８に接触し、裸ドレイン線１５２，２５２とシグナルコンタクト１２７，２２７とがショートするおそれがある。
【００１４】
この問題に対してコンタクト１１７，１２７，２１７，２２７と接触するおそれのある部分をテープ貼りやモールドイン等で覆うことで対処できるが、この方法では作業性が悪く、位置ずれが発生し易くなる。
【００１５】
この発明はこのような事情に鑑みてなされたもので、その課題は結線作業性に優れるとともに、シグナルコンタクトとグランドコンタクトとの間を確実に絶縁することができる同軸フラットリボンケーブル用コネクタを提供することである。
【００１６】
【課題を解決するための手段】
上記課題を解決するため請求項１記載に発明は、同軸フラットリボンケーブルの端部の外部被覆が除去されて露出した複数の裸ドレイン線と信号線とが前記ケーブルの幅方向に交互に配列され、前記信号線がシグナルコンタクトの圧接端子に圧接され、前記裸ドレイン線がグランドコンタクトの圧接端子で圧接される同軸フラットリボンケーブル用コネクタにおいて、ベースインシュレータと前記ベースインシュレータに嵌合されるカバーインシュレータとを備え、前記ベースインシュレータに、前記シグナルコンタクトと前記グランドコンタクトとをそれぞれ前記ケーブルの長さ方向へ延ばして設け、前記シグナルコンタクトの圧接端子と前記グランドコンタクト圧接端子とを前記ケーブルの長さ方向に所定間隔離して配置し、前記グランドコンタクトの圧接端子を前記ケーブルに対して所定角度傾斜させ、前記カバーインシュレータに前記信号線をクランク状に曲げて保持する第１の溝部を設けるとともに、前記信号線より所定長さだけ短くした前記裸ドレイン線を真直ぐに保持する第２の溝部を設けたことを特徴とする。
【００１７】
ベースインシュレータに、シグナルコンタクトとグランドコンタクトとをそれぞれケーブルの長さ方向へ延ばして設け、シグナルコンタクトの圧接端子とグランドコンタクト圧接端子とをケーブルの長さ方向へ所定の間隔をおいて配置したので、各コンタクト間に所定の間隔を確保でき、またグランドコンタクトの圧接端子をケーブルに対して所定角度傾斜させ、カバーインシュレータに信号線をクランク状に曲げて保持する第１の溝部を設けるとともに、信号線より所定長さだけ短くした裸ドレイン線を真直ぐに保持する第２の溝部を設けたので、裸ドレイン線の先端が信号線の先端より後退し、裸ドレイン線がシグナルコンタクトの圧接端子と接触することを回避できる。しかもケーブルに特別な加工をすることなく信号線と裸ドレイン線とをカバーインシュレータに布線するだけで結線を行うことができ、結線作業性が向上する。
【００１８】
請求項２記載に発明は、請求項１に記載の同軸フラットリボンケーブル用コネクタにおいて、前記カバーインシュレータを前記ベースインシュレータに嵌合させたとき、前記信号線が前記シグナルコンタクトの圧接端子と交差して位置決めされることを特徴とする。
【００１９】
カバーインシュレータをベースインシュレータに嵌合させたとき、信号線がシグナルコンタクトの圧接端子と交差して位置決めされるので、カバーインシュレータをベースインシュレータに嵌合させたとき、信号線に位置ずれ等が発生しない。
【００２０】
【発明の実施の形態】
以下、この発明の実施の形態を図面に基づいて説明する。
【００２１】
図１はこの発明の一実施形態に係る同軸フラットリボンケーブル用コネクタの結線時の状態を示す断面図、図２は図１のII−II矢視図、図３はベースインシュレータの断面図、図４は図３のIV−IV矢視図、図５は同軸フラットリボンケーブル用コネクタの結線状態における平面図、図６は図５のＡ矢視図、図７は図５のＢ矢視図である。
【００２２】
同軸フラットリボンケーブル用コネクタは、ベースインシュレータ１０と、カバーインシュレータ３０とを備える。
【００２３】
ベースインシュレータ１０は第１のコンタクト１１と第２のコンタクト２１とを備える。第１のコンタクト１１と第２のコンタクト２１とはベースインシュレータ１０の厚さ方向（図１の上下方向）に２組設けられている。
【００２４】
第１のコンタクト１１は、他の同軸フラットリボンケーブル（図示せず）と接触可能な接点部１２ａを有する接触部１２と、碁盤の目状に配置された収納孔１３に挿入される圧入部１４と、圧入部１４から同軸フラットリボンケーブル５０の長さ方向へ沿ってほぼ真直ぐに延びるシグナルコンタクト１７とを備える。
【００２５】
シグナルコンタクト１７の先端には同軸フラットリボンケーブル５０の信号線５１が圧接（圧力を加えて接触させること）によって接続される圧接端子１８が同軸フラットリボンケーブル５０と平行に形成されている。圧接端子１８には信号線５１を圧接するための溝１８ａが形成されている。
【００２６】
第２のコンタクト２１は、他の同軸フラットリボンケーブルと接触可能な接点部２２ａを有する接触部２２と、収納孔１３に挿入される圧入部２４と、圧入部２４から同軸フラットリボンケーブル５０の長さ方向へ沿ってほぼ真直ぐかつシグナルコンタクト１１より長く延びるグランドコンタクト２７とを備える。
【００２７】
接触部１２と接触部２２とでソケットコンタクトが構成される。
【００２８】
グランドコンタクト２７とシグナルコンタクト１７とは同軸フラットリボンケーブル５０の幅方向に交互に配列され、グランドコンタクト２７の中間部とシグナルコンタクト１７とは互いに平行である（図４参照）。
【００２９】
また、グランドコンタクト２７の先端部には同軸フラットリボンケーブル５０のドレイン線５２が圧接によって接続される圧接端子２８が形成されている。
【００３０】
圧接端子２８には裸ドレイン線５２に圧接するための溝２８ａが形成され、この溝２８ａと溝１８ａとが同軸フラットリボンケーブル５０に沿う同一線上に配置されるように圧接端子２８は同軸フラットリボンケーブル５０の長さ方向に対して所定角度傾けられている。
【００３１】
カバーインシュレータ３０はベースインシュレータ１０に嵌合される。このカバーインシュレータ３０には同軸フラットリボンケーブル５０が布線（セット）されている。
【００３２】
カバーインシュレータ３０には第１のコンタクト１１の圧接端子１８を収容する第１の凹部３１と、第２のコンタクト２１の圧接端子２８を収容する第２の凹部３２とが形成されている。
【００３３】
また、カバーインシュレータ３０には信号線５１をクランク状に曲げて保持する第１の溝部３３と、裸ドレイン線５２を真直ぐに保持する第２の溝部３４とが形成されている。
【００３４】
信号線５１は第２の凹部３２を越えてソケットコンタクト方向へ真直ぐに延び、第１の凹部３１でクランク状に曲げられている。
【００３５】
裸ドレイン線５２の先端部は第１の凹部３１と第２の凹部３２との中間に位置している。
【００３６】
したがって、カバーインシュレータ３０をベースインシュレータ１０に嵌合したとき、信号線５１はシグナルコンタクト１７の圧接端子１８と交差して位置決めされ、裸ドレイン線５２はグランドコンタクト２７の圧接端子２８と交差して位置決めされる。
【００３７】
なお、カバーインシュレータ３０がベースインシュレータ１０に嵌合したとき、信号線５１と圧接端子２８とが接触するが、信号線５１の圧接端子２８と接触する部分は誘電体であるので、信号線５１の中心導体と圧接端子２８とがショートするおそれはない。
【００３８】
図８〜図１４は同軸フラットリボンケーブル用コネクタの結線工程を示す図である。
【００３９】
同軸フラットリボンケーブル５０の外部被覆（シースとシールド）を除去し、ドレイン線５２を剥き出しの状態とする（図８参照）。
【００４０】
ドレイン線５２の先端部が第１の凹部３１と第２の凹部３２との中間に位置するようにドレイン線５２を信号線５１より所定長さだけ切断する（図９参照）。
【００４１】
信号線５１をクランク状に曲げる（図１０参照）。
【００４２】
カバーインシュレータ３０（図１１参照）の第１の溝部３３に信号線５１を布線するとともに、第２の溝部３４にドレイン線５２を布線する（図１２参照）。
【００４３】
信号線５１とシグナルコンタクト１７の圧接端子１８とが交差し、ドレイン線５２とグランドコンタクト２７の圧接端子２８とが交差するように、カバーインシュレータ３０（図１２参照）を所定の圧力でベースインシュレータ１０（図１３参照）に押し込む。
【００４４】
同軸フラットリボンケーブル５０を布線したカバーインシュレータ３０がベースインシュレータ１０に嵌合すると、信号線５１とドレイン線５２とが圧接端子１８と圧接端子２８とに圧接され、それぞれ位置決めされる（図１４参照）。
【００４５】
この実施形態によれば、以下の効果を発揮できる。
【００４６】
圧接端子２８の溝２８ａと裸ドレイン線５２の溝１８ａとが同軸フラットリボンケーブル５０の長さ方向に沿う同一線上に配置されているので、高密度化を実現することができる。
【００４７】
カバーインシュレータ３０をベースインシュレータ１０に嵌合させたとき、裸ドレイン線５２の先端が第１の凹部３１と第２の凹部３２との間に位置決めされるので、裸ドレイン線５２と圧接端子１８との間に十分な距離を確保でき、裸ドレイン線５２とシグナルコンタクト１７との間のショートを防止できる。
【００４８】
結線作業を行うに当たり、同軸フラットリボンケーブル５０のシースとシールドとを除去するだけでよく、テープ貼りやモールドイン等の作業が不要であるので、結線作業が簡単となり、製品のコストダウンを図ることができる。
【００４９】
信号線５１は圧接端子１８に対して所定の角度で交差した状態で圧接端子１８に圧接されるので、位置ずれ等が発生しない。
【００５０】
図１５はこの発明の一実施形態に係る同軸フラットリボンケーブル用コネクタの変形例を示す断面図であり、上記実施形態と同一部分には同一符号を付す。
【００５１】
この変形例では圧入部１４を挿入する収納孔１３を千鳥配列（図示せず）とし、コンタクトの中間部から圧入部１４に至る部分Ｐの形状を単純にしている。
【００５２】
この変形例によれば、上記実施形態の効果の他に、部分Ｐの形状を単純化したので、製造し易くなるという効果が得られる。
【００５３】
【発明の効果】
以上に説明したように請求項１に記載の発明によれば、各コンタクト間に所定の間隔を確保でき、また裸ドレイン線を信号線より短くしたので、裸ドレイン線とシグナルコンタクトの圧接端子との接触を回避できる。しかもケーブルに特別な加工をすることなく結線を行うことができるので、結線作業性が向上する。
【００５４】
請求項２に記載の発明によれば、位置ずれ等が発生せず、同軸フラットリボンケーブルを確実に保持できる。
【図面の簡単な説明】
【図１】図１はこの発明の一実施形態に係る同軸フラットリボンケーブル用コネクタの結線時の状態を示す断面図である。
【図２】図２は図１のII−II矢視図である。
【図３】図３はベースインシュレータの断面図である。
【図４】図４は図３のIV−IV矢視図である。
【図５】図５は同軸フラットリボンケーブル用コネクタの結線状態における平面図である。
【図６】図６は図５のＡ矢視図である。
【図７】図７は図５のＢ矢視図である。
【図８】図８は同軸フラットリボンケーブル用コネクタの結線工程を示し、ドレイン線を剥き出しとした状態を示す図である。
【図９】図９は同軸フラットリボンケーブル用コネクタの結線工程を示し、ドレイン線を所定長さだけ切断した状態を示す図である。
【図１０】図１０は同軸フラットリボンケーブル用コネクタの結線工程を示し、信号線をクランク状に曲げた状態を示す図である。
【図１１】図１１は同軸フラットリボンケーブル用コネクタの結線工程を示し、信号線とドレイン線とが布線されるカバーインシュレータの平面図である。
【図１２】図１２は同軸フラットリボンケーブル用コネクタの結線工程を示し、カバーインシュレータに信号線とドレイン線とを布線した状態を示す図である。
【図１３】図１３は同軸フラットリボンケーブル用コネクタの結線工程を示し、カバーインシュレータと嵌合するベースインシュレータの平面図である。
【図１４】図１４は同軸フラットリボンケーブル用コネクタの結線工程を示し、カバーインシュレータを嵌合させたときのベースインシュレータの平面図である。
【図１５】図１５はこの発明の一実施形態に係る同軸フラットリボンケーブル用コネクタの変形例を示す断面図である。
【図１６】図１６は従来の同軸フラットリボンケーブル用コネクタに同軸フラットリボンケーブルが取り付けられた状態を説明するための断面図である。
【図１７】図１７は従来の他の同軸フラットリボンケーブル用コネクタに同軸フラットリボンケーブルが取り付けられた状態を説明するための断面図である。
【符号の説明】
１０  ベースインシュレータ
１７  シグナルコンタクト
１８，２８  圧接端子
２７  グランドコンタクト
３０  カバーインシュレータ
３３  第１の溝部
３４  第２の溝部
５０  同軸フラットリボンケーブル
【図１】
0003908377.tif 000002
【図２】
0003908377.tif 000003
【図３】
0003908377.tif 000004
【図４】
0003908377.tif 000005
【図５】
0003908377.tif 000006
【図６】
0003908377.tif 000007
【図７】
0003908377.tif 000008
【図８】
0003908377.tif 000009
【図９】
0003908377.tif 000010
【図１０】
0003908377.tif 000011
【図１１】
0003908377.tif 000012
【図１２】
0003908377.tif 000013
【図１３】
0003908377.tif 000014
【図１４】
0003908377.tif 000015
【図１５】
0003908377.tif 000016
【図１６】
0003908377.tif 000017
【図１７】
0003908377.tif 000018